【手続補正書】
【提出日】平成18年1月12日(2006.1.12)
【手続補正１】
【補正対象書類名】特許請求の範囲
【補正対象項目名】全文
【補正方法】変更
【補正の内容】
【特許請求の範囲】
【請求項１】
画像表示で生じるコンタリング・アーティファクトを除去する方法であって、
複数の画素を含むビデオ信号を受信するステップと、
前記受信したビデオ信号中に、所定数の画素を含む画素範囲を識別するステップと、
前記識別された画素範囲内で、最大画素値および最小画素値を検出するステップと、
前記最大画素値と前記最小画素値との差を計算するステップと、
前記計算された差が、所定の閾値以下であるならば、前記識別された画素範囲内にコンタリング・アーティファクトが存在すると判定するステップと、
前記識別された画素範囲内の画素を、前記コンタリング・アーティファクトが除去されるように処理するステップと、
からなる、前記方法、
【請求項２】
前記処理するステップが、
前記識別された画素範囲の画素の平均値を計算するステップと、
前記画素の平均値を、前記識別された画素範囲内の各画素のビット幅よりも大きい所定のビット幅に変更するステップと、
前記識別された画素範囲の中央または中央付近の画素を、前記変更された画素平均値で置き替えるステップと、
を含む、請求項１記載の方法。
【請求項３】
前記処理するステップが、
前記識別された画素範囲の画素の平均値を計算するステップと、
前記平均化された画素値をディザ処理して、代替画素値を発生するステップと、
前記識別された画素範囲の中央または中央付近の画素を代替画素値で置き替えるステップと、
を含む、請求項１記載の方法。
【請求項４】
前記処理するステップが、
前記識別された画素範囲の画素の平均値を計算するステップと、
前記画素平均値を最も近い整数に変更して、代替画素値を発生するステップと、
前記識別された画素範囲の中央または中央付近の画素を前記代替画素値で置き替えるステップと、
を含む、請求項１記載の方法。
【請求項５】
前記識別された画素範囲が、水平画素範囲である、請求項１記載の方法。
【請求項６】
前記識別された画素範囲が、垂直画素範囲である、請求項１記載の方法。
【請求項７】
前記識別された画素範囲が、多次元の画素範囲である、請求項１記載の方法。
【請求項８】
前記受信されたビデオ信号中の各画素について画素範囲が識別される、請求項１記載の方法。
【請求項９】
前記複数の画素のうちの各画素が、３つの画素成分から成り、各画素成分について前記識別するステップ、前記判定するステップ、および前記処理するステップが、別個に実行される、請求項１記載の方法。
【請求項１０】
画像表示におけるコンタリング・アーティファクトを除去するシステムであって、
複数の画素を含むビデオ信号を受信する手段と、
前記受信したビデオ信号中に所定数の画素を含む画素範囲を識別する手段と、
前記識別された画素範囲内で最大画素値および最小画素値を検出する手段と、
前記最大画素置と前記最小画素値との差を計算する手段と、
前記計算された差が、所定の閾値以下であるならば、前記識別された画素範囲内にコンタリング・アーティファクトが存在すると判定する手段と、
前記識別された画素範囲内の画素を、前記コンタリング・アーティファクトが除去されるように処理する手段と、
からなる、前記システム。
【請求項１１】
前記処理する手段が、
前記識別された画素範囲の画素の平均値を計算する手段と、
前記識別された画素範囲内の各画素のビット幅より大きい所定のビット幅に前記画素平均値を変更する手段と、
前記識別された画素範囲の中央または中央付近の画素値を、前記変更された画素値で置き替える手段と、
から成る、請求項１０記載のシステム。
【請求項１２】
前記処理する手段が、
前記識別された画素範囲の画素の平均値を計算する手段と、
前記平均化された画素値をディザ処理して、代替画素値を発生する手段と、
前記識別された画素範囲の中央または中央付近の画素値を代替画素値で置き替える手段と、
からなる、請求項１０記載のシステム。
【請求項１３】
前記処理する手段が、
前記識別された画素範囲の画素の平均値を計算する手段と、
前記画素平均値を最も近い整数に変更して、代替画素値を発生する手段と、
前記識別された画素範囲の中央または中央付近の画素を、前記代替画素値で置き替える手段と、
からなる、請求項１０記載のシステム。
【請求項１４】
前記識別された画素範囲が、水平画素範囲である、請求項１０記載のシステム。
【請求項１５】
前記識別された画素範囲が、垂直画素範囲である、請求項１０記載のシステム。
【請求項１６】
前記識別された画素範囲が、多次元の画素範囲である、請求項１０記載のシステム。
【請求項１７】
前記受信されたビデオ信号中の各画素について画素範囲が識別される、請求項１０記載のシステム。
【請求項１８】
前記複数の画素のうちの各画素が３つの画素成分で構成され、前記識別する手段、前記判定する手段、および前記処理する手段が、別個に各画素成分に作用する、請求項１０記載のシステム。
【請求項１９】
画像表示で生じるコンタリング・アーティファクトを除去する方法であって、
複数の画素を含むビデオ信号を受信するステップと、
前記受信したビデオ信号中に、所定数の画素を含む画素範囲を識別するステップと、
前記識別された画素範囲に亘る画素値の総和を計算するステップと、
前記識別された画素範囲の中央または中央付近の画素値に前記識別された画素範囲内の画素の総数を掛けるステップと、
前記掛けられた画素値と計算された画素値の総和との差を計算するステップと、
前記差の絶対値を計算するステップと、
前記計算された差の絶対値が、所定の範囲内にあるならば、前記識別された画素範囲内にコンタリング・アーティファクトが存在すると判定するステップと、
前記識別された画素範囲内の画素を、コンタリング・アーティファクトが除去されるように処理するステップと、
からなる、前記方法。
【請求項２０】
画像表示で生じるコンタリング・アーティファクトを除去する方法であって、
複数の画素を含むビデオ信号を受信するステップと、
前記受信したビデオ信号中に、所定数の画素を含む画素範囲を識別するステップと、
前記識別された画素範囲内にコンタリング・アーティファクトの存在を検出するステップと、
前記識別された画素範囲の平均画素値を計算するステップと、
前記平均画素値を、前記識別された画素範囲内の各画素のビット幅よりも大きい所定のビット幅にするステップと、
前記検出されたコンタリング・アーティファクトが除去されるように、前記識別された画素範囲の画素値を前記縮小された平均画素値に替えるステップと、
からなる、前記方法。
【請求項２１】
画像表示で生じるコンタリング・アーティファクトを除去する方法であって、
複数の画素を含むビデオ信号を受信するステップと、
前記受信したビデオ信号中に、所定数の画素を含む画素範囲を識別するステップと、
前記識別された画素範囲内にコンタリング・アーティファクトの存在を検出するステップと、
前記識別された画素範囲の平均画素値を計算するステップと、
前記平均化された前記画素値をディザ処理して、代替画素値を発生するステップと、
前記検出されたコンタリング・アーティファクトが除去されるように、前記識別された画素範囲の画素値を前記代替画素値に替えるステップと、
からなる、前記方法。
【請求項２２】
画像表示で生じるコンタリング・アーティファクトを除去する方法であって、
複数の画素を含むビデオ信号を受信するステップと、
前記受信したビデオ信号中に、所定数の画素を含む画素範囲を識別するステップと、
前記識別された画素範囲内にコンタリング・アーティファクトの存在を検出するステップと、
前記識別された画素範囲の平均画素値を計算するステップと、
前記画素平均値を最も近い整数に変更して、代替画素値を発生するステップと、
前記検出されたコンタリング・アーティファクトが除去されるように、前記識別された画素範囲の画素値を前記代替画素値に替えるステップと、
からなる、前記方法。
【請求項２３】
画像表示で生じるコンタリング・アーティファクトを除去する方法であって、
複数の画素の各画素が３つの画素成分で構成される、前記複数の画素を含むビデオ信号を受信するステップと、
前記受信したビデオ信号中に、所定数の画素成分を含む画素成分範囲を識別するステップと、
前記識別された画素成分範囲内にコンタリング・アーティファクトの存在を検出するステップと、
前記識別された画素成分範囲内の画素成分を、検出されたコンタリング・アーティファクトが除去されるように処理するステップと、
前記識別するステップ、前記検出するステップ、および前記処理するステップを、前記３つの画素成分の各々について別個に繰り返すステップと、
からなる、前記方法。
【請求項２４】
画像表示で生じるコンタリング・アーティファクトを除去するシステムであって、
複数の画素を含むビデオ信号を受信する手段と、
前記受信したビデオ信号中に、所定数の画素を含む画素範囲を識別する手段と、
前記識別された画素範囲に亘る画素値の総和を計算する手段と、
前記識別された画素範囲の中央または中央付近の画素値に、前記識別された画素範囲内の全画素数を掛ける手段と、
前記掛けられた画素値と計算された画素値の総和との差を計算する手段と、
前記計算された差の絶対値が所定の範囲内にあるならば、前記識別された画素範囲内にコンタリング・アーティファクトが存在すると判定する手段と、
前記識別された画素範囲内の画素を、コンタリング・アーティファクトが除去されるように処理する手段と、
からなる、前記システム。
【請求項２５】
画像表示で生じるコンタリング・アーティファクトを除去するシステムであって、
複数の画素を含むビデオ信号を受信する手段と、
前記受信したビデオ信号中に、所定数の画素を含む画素範囲を識別する手段と、
前記識別された画素範囲内にコンタリング・アーティファクトの存在を検出する手段と、
前記識別された画素範囲の平均画素値を計算する手段と、
前記平均画素値を、前記識別された画素範囲内の各画素のビット幅よりも大きい所定のビット幅にする手段と、
前記検出されたコンタリング・アーティファクトが除去されるように、前記識別された画素範囲の画素値を前記縮小された平均画素値に替える手段と、
からなる、前記システム。
【請求項２６】
画像表示で生じるコンタリング・アーティファクトを除去するシステムであって、
複数の画素を含むビデオ信号を受信する手段と、
前記受信したビデオ信号中に、所定数の画素を含む画素範囲を識別する手段と、
前記識別された画素範囲内にコンタリング・アーティファクトの存在を検出する手段と、
前記識別された画素範囲の平均画素値を計算する手段と、
前記平均化された画素値をディザ処理して、代替画素値を発生する手段と、
前記検出されたコンタリング・アーティファクトが除去されるように、前記識別された画素範囲の画素値を前記代替画素値に替える手段と、
からなる、前記システム。
【請求項２７】
画像表示で生じるコンタリング・アーティファクトを除去するシステムであって、
複数の画素を含むビデオ信号を受信する手段と、
前記受信したビデオ信号中に、所定数の画素を含む画素範囲を識別する手段と、
前記識別された画素範囲内にコンタリング・アーティファクトの存在を検出する手段と、
前記識別された画素範囲の平均画素値を計算する手段と、
前記画素平均値を最も近い整数に変更して、代替画素値を発生する手段と、
前記検出されたコンタリング・アーティファクトが除去されるように、前記識別された画素範囲の画素値を前記代替画素値に替える手段と、
からなる、前記システム。
【請求項２８】
画像表示で生じるコンタリング・アーティファクトを除去するシステムであって、
複数の画素の各画素が３つの画素成分で構成される、前記複数の画素を含むビデオ信号を受信する手段と、
前記受信したビデオ信号中の各画素の前記３つの画素成分の各々について、所定数の画素成分を含む画素成分範囲を別々に識別する手段と、
前記別々に識別された各画素成分範囲内にコンタリング・アーティファクトの存在を検出する手段と、
前記別々に識別された各画素成分範囲内の画素成分を、前記検出されたコンタリング・アーティファクトが除去されるように処理する手段と、
からなる、前記システム。
【手続補正２】
【補正対象書類名】明細書
【補正対象項目名】発明の名称
【補正方法】変更
【補正の内容】
【発明の名称】コンタリング・アーティファクトを除去する方法およびシステム
【手続補正３】
【補正対象書類名】明細書
【補正対象項目名】００１８
【補正方法】変更
【補正の内容】
【００１８】
図５に、本発明の別のコンタリング除去プロセス５００を示す。値の差のテスト（図２）または平均化テスト（図３）をパスした後に、プロセッサ７０は、ステップ５０５で、コンタリング除去プロセス５００を開始する。最初にステップ５１０で、所定の画素範囲の画素成分の平均値を計算する。その後、ステップ５１５で、この平均値を最も近い整数に詰めて（端数を丸めるか、切り捨てる）、新しい画素成分値を発生する。次にステップ５２０で、中央または中央付近の画素成分値（例：８画素範囲のうち４番目の画素値）を、詰められた平均画素成分値で置き替える。次に、プロセッサ７０は、ステップ５２５で、検出プロセス２００（図２）／３００（図３）に従って、次の画素成分値をテストする。一連の入力画素成分値（図７に例示する）と、コンタリング除去プロセス５００で発生された一連の出力画素成分値のグラフによる比較を図８に示す。
【手続補正４】
【補正対象書類名】図面
【補正対象項目名】図５
【補正方法】変更
【補正の内容】
【図５】
2005516260.tif 000001